【事件の表示】
　特願２００２−１９８２８７「電流駆動型のディスプレイの駆動回路」拒絶査定不服審判事件〔平成１５年　２月１４日出願公開、特開２００３−　４３９９７〕について、次のとおり審決する。
【結　論】
　本件審判の請求は、成り立たない。
【理　由】
１　手続の経緯
　本願は、優先権主張を伴う平成１４年７月８日（第一国：大韓民国、優先日、平成１３年７月６日、出願番号：２００１−４０４５５号、優先日、平成１４年４月２６日、出願番号：２００２−２３０５９号）の出願であって、平成１８年４月１２日付けの手続補正を、平成１８年７月７日付けの補正の却下の決定により却下した後、平成１８年７月７日付け（発送日：平成１８年７月１１日）で拒絶査定がなされ、これに対して平成１８年１０月１０日に拒絶査定不服審判の請求がなされるとともに、同年１１月９日付けで明細書を対象とする手続補正がなされたものである。
　
２　平成１８年１１月９日付け手続補正についての補正却下の決定
［補正却下の決定の結論］
　平成１８年１１月９日付け手続補正を却下する。
［理由］独立特許要件違反
　平成１８年１１月９日付け手続補正（以下、「本件補正」という。）により、特許請求の範囲の請求項１は、
「【請求項１】有機ＥＬピクセルと、
　スキャン信号によって駆動されて前記ピクセルを発光させるスキャン駆動部と、
　データイネーブル信号によってオン／オフが制御されて前記ピクセルに電流を供給する第１定電流源と、
　プリチャージ信号によってオン／オフが制御されて前記ピクセルのプリチャージのための電流を前記ピクセルに供給する第２定電流源と、
　前記第１及び第２定電流源の電流の量を制御する制御部と
　を備え、
　前記有機ＥＬピクセルをオンさせる時点が立ち上がり同期である場合、前記スキャン信号の開始時点で前記第２定電流源がオンされて前記有機ＥＬピクセルのプリチャージを開始し、前記有機ＥＬピクセルをオンさせる時点が立ち下がり同期である場合、前記データイネーブル信号が活性化される前に前記第２定電流源がオンされて前記有機ＥＬピクセルのプリチャージを開始する
　ことを特徴とする電流駆動型のディスプレイの駆動回路。」から、
　
「【請求項１】有機ＥＬピクセルと、
　スキャン信号によって駆動されて前記ピクセルを発光させるスキャン駆動部と、
　それぞれが第１〜第Ｎのデータイネーブル信号Ｄ１〜ＤＮを受けてオン／オフが制御される第１スイッチ部の複数のスイッチ素子の互いに共通接続されたドレイン端に接続されて、オンしたスイッチ素子の前記ドレイン端からソース端方向へ電流を供給するとともに、前記電流の量をバイアス調節によって制御することにより前記ピクセルに前記制御された量の電流を供給する第１定電流源と、
　プリチャージ信号によってオン／オフが制御されて前記ピクセルのプリチャージのための電流を前記ピクセルに供給する第２定電流源と、
　前記第１及び第２定電流源の電流の量を制御する制御部と
　を備え、
　前記有機ＥＬピクセルをプリチャージさせる時点を前記スキャン信号の立ち上がりに同期させる場合は、前記スキャン信号の開始時点で前記第２定電流源をオンして前記有機ＥＬピクセルのプリチャージを開始し、前記プリチャージの終了後前記データイネーブル信号を活性化して前記有機ＥＬピクセルをオンさせる一方、前記有機ＥＬピクセルをオフさせる時点を前記スキャン信号の立ち下がりに同期させる場合は、前記有機ＥＬピクセルの予め定めたオン継続時間が前記スキャン信号の立ち下がり時点まで維持されるように、前記スキャン信号が立ち上がった後、前記有機ＥＬピクセルへのプリチャージを行い、このプリチャージの終了後、前記データイネーブル信号を活性化して前記有機ＥＬピクセルをオンさせるとともに、前記スキャン信号の立ち下がり時点で前記データイネーブル信号を非活性化させることにより、前記有機ＥＬピクセルをオフさせる
　ことを特徴とする電流駆動型のディスプレイの駆動回路。」
に補正された。
　
　そして、この補正は、
（ア）補正前の「データイネーブル信号によってオン／オフが制御されて前記ピクセルに電流を供給する」について、「それぞれが第１〜第Ｎのデータイネーブル信号Ｄ１〜ＤＮを受けてオン／オフが制御される第１スイッチ部の複数のスイッチ素子の互いに共通接続されたドレイン端に接続されて、オンしたスイッチ素子の前記ドレイン端からソース端方向へ電流を供給するとともに、前記電流の量をバイアス調節によって制御することにより前記ピクセルに前記制御された量の電流を供給する」と限定し、
（イ）補正前の「前記有機ＥＬピクセルをオンさせる時点が立ち上がり同期である場合、前記スキャン信号の開始時点で前記第２定電流源がオンされて前記有機ＥＬピクセルのプリチャージを開始し」について、「前記有機ＥＬピクセルをプリチャージさせる時点を前記スキャン信号の立ち上がりに同期させる場合は、前記スキャン信号の開始時点で前記第２定電流源をオンして前記有機ＥＬピクセルのプリチャージを開始し、前記プリチャージの終了後前記データイネーブル信号を活性化して前記有機ＥＬピクセルをオンさせる一方」と限定し、
（ウ）補正前の「前記有機ＥＬピクセルをオンさせる時点が立ち下がり同期である場合、前記データイネーブル信号が活性化される前に前記第２定電流源がオンされて前記有機ＥＬピクセルのプリチャージを開始する」について、明りょうでない記載の釈明を目的として、補正前の「前記有機ＥＬピクセルをオンさせる時点」を「前記有機ＥＬピクセルをオフさせる時点」とした上で、「前記有機ＥＬピクセルをオフさせる時点を前記スキャン信号の立ち下がりに同期させる場合は、前記有機ＥＬピクセルの予め定めたオン継続時間が前記スキャン信号の立ち下がり時点まで維持されるように、前記スキャン信号が立ち上がった後、前記有機ＥＬピクセルへのプリチャージを行い、このプリチャージの終了後、前記データイネーブル信号を活性化して前記有機ＥＬピクセルをオンさせるとともに、前記スキャン信号の立ち下がり時点で前記データイネーブル信号を非活性化させることにより、前記有機ＥＬピクセルをオフさせる」と限定するものである。
　
　したがって、この補正は特許請求の範囲の減縮、明りょうでない記載の釈明を目的とするものに該当する。
　そこで、本件補正後の請求項１に係る発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について検討する。
　
（１）本件補正後の本願発明
　本願の請求項１には「前記有機ＥＬピクセルをプリチャージさせる時点を前記スキャン信号の立ち上がりに同期させる場合は、前記スキャン信号の開始時点で…プリチャージを開始し、前記プリチャージの終了後…前記有機ＥＬピクセルをオンさせる一方、前記有機ＥＬピクセルをオフさせる時点を前記スキャン信号の立ち下がりに同期させる場合は…前記スキャン信号の立ち下がり時点で…前記有機ＥＬピクセルをオフさせる」と記載されている。
　この記載について検討すると、請求項１には、有機ＥＬピクセルをプリチャージさせる時点をスキャン信号の立ち上がりに同期させる場合、すなわち「立ち上がり同期方式」と、有機ＥＬピクセルをオフさせる時点をスキャン信号の立ち下がりに同期させる場合、すなわち「立ち下がり同期方式」とが同時に行われている場合を含む記載がされているが、例えば本願明細書の段落【００３５】には「本発明のプリチャージ駆動方法は、図８、図９に示すように立ち上がり同期方式又は立ち下がり同期方式を用いることができる。」と記載されているように、両同期方式が同時に行われている旨が明細書に記載されているとはいえないから、上記記載は、「立ち上がり同期方式」又は「立ち下がり同期方式」のいずれかで駆動されるという意味であると認定する。
　
　よって、本願の請求項１に係る発明（以下、「本願補正発明」という。）は、本件補正により補正された明細書及び図面からみて、以下のとおりのものと認める。
「【請求項１】有機ＥＬピクセルと、
　スキャン信号によって駆動されて前記ピクセルを発光させるスキャン駆動部と、
　それぞれが第１〜第Ｎのデータイネーブル信号Ｄ１〜ＤＮを受けてオン／オフが制御される第１スイッチ部の複数のスイッチ素子の互いに共通接続されたドレイン端に接続されて、オンしたスイッチ素子の前記ドレイン端からソース端方向へ電流を供給するとともに、前記電流の量をバイアス調節によって制御することにより前記ピクセルに前記制御された量の電流を供給する第１定電流源と、
　プリチャージ信号によってオン／オフが制御されて前記ピクセルのプリチャージのための電流を前記ピクセルに供給する第２定電流源と、
　前記第１及び第２定電流源の電流の量を制御する制御部と
　を備え、
　前記有機ＥＬピクセルをプリチャージさせる時点を前記スキャン信号の
立ち上がりに同期させ、
立ち上がり同期方式、又は、
立ち下がりに同期させ
立ち下がり同期方式のいずれかで駆動する
　
（２）引用刊行物に記載された発明
ア　本願の優先日前に頒布された刊行物である特開平７−３６４１０号公報（以下、「引用刊行物１」という。）には、「表示装置の駆動回路」の発明に関して、図面とともに以下の事項が記載されている。
　
＜記載事項１＞
「【０００１】
【産業上の利用分野】本発明は、表示装置の駆動回路に関する。
【０００２】
【従来の技術】表示装置では、複数の走査電極及び複数の信号電極がマトリクス状に配置され、走査電極と信号電極との交点部分では、該走査電極及び信号電極に発光素子が接続されている。そして、１つの共通走査電極に対して、所望の信号電極に定電流駆動信号を供給することにより、対応する発光素子を発光状態にしている。」
　
＜記載事項２＞
「【０００６】
【作用】発光素子（ＥＬ素子）を長期間使用すると、性能が徐々に劣化し、発光素子での順方向電圧降下ＶF が大きくなると同時に電流対輝度特性が劣化するので、この結果、発光素子の輝度が低下する。そこで、駆動手段から発光素子に接続された信号電極の電圧を検出する検出部を設けて、発光素子の電圧降下ＶF を測定し、該電圧降下ＶF が小さい場合には、駆動手段からの電流を低く設定する。これにより、駆動手段からは必要最小限度の電流が出力されるので、消費電力を低減することができる。一方、発光素子の長期間の使用により、性能が徐々に劣化し、発光素子の電圧降下ＶF が大きくなり輝度が低下すると、輝度が一定に保たれるように駆動手段からの電流を増加させる。これにより、発光素子は寿命の末期まで、一定の輝度を保つことができる。」
　
＜記載事項３＞
「【００１３】図２において、符号３０は、表示パネルを示し、該表示パネル３０はＸドライバ３２及びＹドライバ３４により駆動される。一方、ビデオ信号はＡ／Ｄコンバータ３６を介してメモリ３８に供給され、該メモリ３８からのデータは、Ｘドライバ３２に供給される。なお、Ｘドライバ３２，Ｙドライバ３４及びメモリ３８はコントローラ４２により制御される。
【００１４】図３には、表示装置の回路構成が示されている。図３において、映像信号は、Ａ／Ｄコンバータ３６を介してメモリとしてのシフトレジスタ３８に供給され、該シフトレジスタ３８は、複数のフリップフロップ回路（以下ＦＦという）４４〜４４を含む。シフトレジスタ３８内のＦＦ４４〜４４からの信号は、Ｘドライバ４０内でＦＦ４６〜４６を介してＰＷＭ変調器４８〜４８に供給される。ＰＷＭ変調器４８〜４８からの信号（輝度データに対応したパルス幅を示すアナログ信号）は、信号電極Ａ0 ，Ａ1 ，Ａ2 ，Ａ3 ，…に供給され、一方、Ｙドライバ３４内のＦＦ５０〜５０からの信号は、走査電極Ｋ0 ，Ｋ1 ，Ｋ2 ，Ｋ3 ，…に供給され、これらの信号電極Ａ0 ，Ａ1 ，Ａ2 ，Ａ3 ，…及び走査電極Ｋ0 ，Ｋ1 ，Ｋ2 ，Ｋ3 ，…により、表示パネル３０のマトリクスが構成される。表示パネル３０において、信号電極Ａ0 ，Ａ1 ，Ａ2 ，Ａ3 ，…と走査電極Ｋ0 ，Ｋ1 ，Ｋ2 ，Ｋ3 ，…との交点部分では信号電極Ａ0，Ａ1 ，Ａ2 ，Ａ3 ，…及び走査電極Ｋ0 ，Ｋ1 ，Ｋ2 ，Ｋ3 ，…に発光素子５２〜５２が接続されている。
【００１５】コントローラとしてのタイミングジェネレータ４２は、水平同期信号及び垂直同期信号を受取り、信号ＳＣＬＫ，ＬＣＬＫ，ＦＰＵＬ，及びＦＣＬＫを出力する。信号ＳＣＬＫは、Ａ／Ｄコンバータ３６及びシフトレジスタ３８内のＦＦ４４〜４４に供給され、信号ＬＣＬＫはＸドライバ４０内のＦＦ４６〜４６に供給され、信号ＦＰＵＬ及びＦＣＬＫは、Ｙドライバ３４内のＦＦ５０〜５０に供給される。
【００１６】前記Ｘドライバ４０内のＰＷＭ変調器４８〜４８には、水平同期信号Ｈ〜Ｈが供給される。図４には、図３の表示装置のタイミングチャートが示されている。
【００１７】図４（Ａ）のＸドライバのタイミングチャートを説明すると、映像信号をＡ／Ｄコンバータ３６でＡ／Ｄ変換してサンプリングする毎に、Ａ／Ｄ変換されたデータＤＡＴＡは、信号ＳＣＬＫにより、シフトレジスタ３８内のＦＦ４４〜４４に順次シフトされる。そして、１水平同期期間のデータＤＡＴＡが全てＦＦ４４〜４４に送られると、信号ＬＣＬＫにより、ＦＦ４４〜４４内のデータはＸドライバ３２内のＦＦ４６〜４６を介してＰＷＭ変調器４８〜４８に供給される。ＰＷＭ変調器４８〜４８は送られたデータをＰＷＭ変調し、データに対応する長さのパルスを信号電極Ａ0 ，Ａ1 ，Ａ2 ，Ａ3 ，…に出力する。
【００１８】図４（Ｂ）のＹドライバのタイミングチャートを説明すると、信号ＦＰＵＬは、垂直同期期間に１回“High”レベルになり、信号ＦＣＬＫにより、信号ＦＰＵＬのパルスが走査電極（ライン）Ｋ0 ，Ｋ1 ，Ｋ2 ，Ｋ3 ，…に順次転送されていく。そして、走査ラインＫn （ｎ＝０，１，２，３，…）が“High”レベルのとき、そのラインＫn が点灯することになる。なお、信号ＦＣＬＫは１水平同期期間に１回パルスを出力し、信号ＦＰＵＬは１垂直同期期間に１回パルスを出力する。」
　
＜記載事項４＞
「【００２１】次に、図６には本発明の実施例による表示装置の駆動回路の回路構成が示されている。図６において、符号３０は表示パネルを示し、該表示パネル３０は、Ｘドライバ３２及びＹドライバ３４により駆動される。Ｘドライバ３２からの信号電極Ａ0 ，Ａ1 ，…及び走査電極Ｋ0 ，Ｋ1 ，Ｋ2 …により表示パネル３０のマトリクスが構成され、信号電極Ａ0 ，Ａ1 ，…と走査電極Ｋ0 ，Ｋ1 ，Ｋ2 ，…との交点部分では、該信号電極Ａ0 ，Ａ1 ，…及び走査電極Ｋ0 ，Ｋ1 ，Ｋ2 ，…に発光素子５２〜５２が接続されている。
【００２２】まず、Ｙドライバ３４について説明する。Ｙドライバ３４において、走査電極Ｋ0 ，Ｋ1 ，Ｋ2 ，…が１走査期間（すなわち１水平周期期間）ずつ順次“High”レベルになると、その“High”レベルになった走査電極Ｋn （ｎ＝０，１，２，…）に接続された発光素子５２〜５２が点灯する。ここで、素子５２〜５２がどの程度の輝度で点灯するかは、Ｘドライバ３２からの信号電極Ａ0 ，Ａ1 ，…の信号により決定される。
【００２３】次に、Ｘドライバ３２について説明する。符号８２は、電源回路を示し、該電源回路８２内のコンパレータ８４の一端子には、ＣＰＵ５４からの電圧指令がＡ／Ｄコンバータ６２を介して供給されている。
【００２４】このＣＰＵ５４からの電圧指令を制御することにより、電源回路８２からの信号電極（陽極）の電源電圧ＶD を制御することができる。前記電源回路８２からの電源電圧ＶD は、定電流源８８に供給され、該定電流源８８内のトランシジスタ９０，９１，９１，…には、ＣＰＵ５４からの電流指令がＤ／Ａコンバータ６４及び電圧／電流交換器（Ｖ／Ｉ変換器）９４を介して供給されている。このＣＰＵ５４からの電流指令を制御することにより、定電流源８８からの定電流値を制御することができる。
【００２５】前記停電流源８８からの停電流（当審注：「前記定電流源８８からの定電流」の誤記。）は、信号電極Ａ0 ，Ａ1 ，…に供給され、該信号電極Ａ0 ，Ａ1 ，…は、分岐してトランジスタ９６−０，９６−１，…のコレクタに接続されている。このトランジスタ９６−０，９６−１，…のベースは、ＰＷＭ変調器４８−０，４８−１，…に接続されている。そして、例えば、ＰＷＭ変調器４８−０が“High”レベルであると、トランジスタ９６−０がオン状態になって、該トランジスタ９６−０内を信号電極Ａ0 の定電流が流れるので、信号電極Ａ0 に接続された発光素子５２は、消灯状態である。一方、ＰＷＭ変調器４８−０が“Low ”レベルであると、トランジスタ９６−０がオフ状態になり、信号電極Ａ0 の定電流は、発光素子５２に供給されるので、該発光素子５２は、点灯状態である。なお、発光素子５２の点灯時に、該発光素子５２の輝度は、ＰＷＭ変調器４８が“Low ”レベルになる時間により決定される。
【００２６】前記発光素子５２の電圧降下ＶF を検出するために、信号電極Ａ0 には、検出用端子Ａが設けられ、走査電極Ｋ0 には、検出用端子Ｂが設けられている。両端子Ａ，Ｂからの検出信号は、ＣＰＵ５４に供給され、ＣＰＵ５４では、両端子Ａ，Ｂからの検出信号に基づいて発光素子５２の電圧降下ＶF を求め、該電圧降下ＶF に基づいて電流指令を発生する。この電流指令は、前述したように、Ｄ／Ａコンバータ６４及びＶ／Ｄ変換器９４を介して定電流源８８内のトランジスタ９０，９１，９１，…に供給され、これにより、定電流源８８からの定電流が適切な値に制御される。」
　
　図面の図４（Ａ）から、各信号電極に供給される信号が一斉にハイレベルとなる時点が、走査信号の立ち上がりに同期させる立ち上がり同期方式のタイミングが見て取れる。
　
　よって、前記記載事項１乃至４及び図面の記載からみて、引用刊行物１には、以下の発明が記載されているものと認められる。
「表示パネル３０のマトリクスを構成する信号電極及び走査電極との交点部分に接続されたＥＬ素子５２と、
　走査電極（ライン）に順次転送される信号ＦＰＵＬのパルスにより、走査ラインが“High”レベルのとき、そのラインを点灯させるＹドライバ３４と、
　それぞれが前記ＥＬ素子５２に制御された定電流値の電流を供給する定電流源８８と、
　前記定電流源８８の定電流値を制御する電流指令を発生するＣＰＵ５４と
　を備え、
　各信号電極に供給される信号が一斉にハイレベルになる時点を、走査信号の立ち上がりに同期させる立ち上がり同期方式で駆動する
　定電流駆動信号を供給することでＥＬ素子を発光状態とする表示装置の駆動回路。」（以下、「引用発明１」という。）
　
イ　本願の優先日前に頒布された刊行物である特開２００１−３５１５７号公報（以下、「引用刊行物２」という。）には、図面とともに以下の事項が記載されている。
　
＜記載事項５＞
「【００１６】図６は、図２に示す位相調整回路内のＤ−Ａ変換器２０をＤ−Ａ変換器２０’にて構成した例である。図に示すように、Ｄ−Ａ変換器２０’はコード信号Ａ１〜Ａｎを接点Ｓに流れる電流値に変換するＤ−Ａ変換回路６１と、該電流値に応じてＩｏｕｔを出力するカレントミラー回路６２を有する。Ｄ−Ａ変換回路６１にてＤ−Ａ変換を行う際に多くのコード信号が変化する場合、Ｄ−Ａ変換回路６１の出力にはハザードが発生する。例えば、コード信号が８ビットで構成され、Ｄ−Ａ変換回路６１のＡ１〜Ａ８が（０１１１１１１１）から（１０００００００）に変化する場合、すべてのコードが変化するために接点Ｓの電位が揺れ、コード変化による電流のステップ幅に対して数倍から数十倍の大きさを有するハザードが発生し、このハザードが直接電流Ｉｏｕｔに影響を与える。その結果として、電流Ｉｏｕｔによって制御される内部クロック信号ＣＬＫＩの位相がずれ、例えばデータ出力回路１４にて誤動作が生じたり、一時的に特性が悪化することがある。
【００１７】次に、本発明の第１の実施の形態による位相比較回路について図３を用いて説明する。図３に示すＤ−Ａ変換器２０は、図２に示すＤ−Ａ変換器２０の具体的回路である。図３に示すように、Ｄ−Ａ変換器２０は、Ｄ−Ａ変換回路３１及びカレントミラー回路３２からなる。
【００１８】信号Ｂｉａｓは、各トランジスタＭ１〜Ｍｎのゲートに常に一定の電圧を供給し、接点Ｓに流れる電流値を制御している。トランジスタＭ１〜Ｍｎは、各ゲート幅が１：２：４：…２ｎとなっており、このゲート幅と比例関係にある電流値によって各トランジスタＭ１〜Ｍｎに流れる電流値に重みをもたせている。トランジスタＮ１〜Ｎｎはスイッチの役割を果たしており、コード信号Ａ１〜Ａｎを受けて接点Ｓに電流を流している。これによりコード信号Ａ１〜Ａｎは接点Ｓに流れる電流値にＤ−Ａ変換され、さらにカレントミラー回路２を介し、トランジスタＰ１／Ｐ２の比によって決められた電流Ｉｏｕｔとして出力される。」
　
　図面の図３、６から、各トランジスタＮ１〜Ｎｎの一端が接点Ｓに共通に接続されていること、カレントミラー回路２の一方が接点Ｓに接続され、カレントミラー回路２の他方から、コード信号Ａ１〜Ａｎ、信号Ｂｉａｓに応じた電流Ｉｏｕｔが出力されていること、各トランジスタには信号Ｂｉａｓに応じた電流が流れることが見て取れる。
　
　したがって、引用刊行物２には、以下の発明が記載されている。
　
（ア）それぞれがコード信号Ａ１〜Ａｎを受けてスイッチの役割を果たす各トランジスタＮ１〜Ｎｎが互いに共通接続された接点Ｓに接続されて、オンしたトランジスタＮ１〜Ｎｎに電流を供給するとともに、前記電流の量を信号Ｂｉａｓにより制御することにより、コード信号Ａ１〜Ａｎ、信号Ｂｉａｓに応じた電流Ｉｏｕｔが出力されるカレントミラー回路２を有するＤ−Ａ変換器２０。
　
ウ　原査定の拒絶の理由に引用され、本願の優先日前に頒布された刊行物である特開平１１−２３１８３４号公報（以下、「引用刊行物３」という。）には、「発光ディスプレイ装置及びその駆動方法」の発明に関して、図面とともに以下の事項が記載されている。
　
＜記載事項６＞
「【請求項１】　複数の発光素子を駆動する発光ディスプレイ装置であって、
前記発光素子に接続可能とされる第１の駆動源及び第２の駆動源と、
前記第１の駆動源及び第２の駆動源のいずれか一方を選択し前記発光素子に接続する接続選択手段と、
前記発光素子を駆動する際に最初に前記第１の駆動源を接続し続いて前記第２の駆動源を接続するように前記接続選択手段を制御する制御手段とを備え、
前記第１の駆動源が前記発光素子に供給する駆動電流は前記第２の駆動源が前記発光素子に供給する駆動電流よりも大とされていることを特徴とする発光ディスプレイ装置。
　
（中略）
　
【請求項７】　前記発光素子は有機エレクトロルミネッセンス素子であることを特徴とする請求項１ないしは６のいずれか１に記載の発光ディスプレイ装置。」
　
＜記載事項７＞
「【０００４】図９は、上述した発光素子Ｅを走査期間において定電流駆動法で駆動した場合の発光素子Ｅの印加電圧の変化を示したものである。図９において縦軸は発光素子Ｅの両端に印加される電圧であり、横軸は時間を示している。図中１１０は走査時間であり、１１１は発光素子Ｅの寄生容量１０９の充電時間である。またＶｆは発光体１０７の静特性で決まる最大発光時における順方向電圧である。同図に示すように、走査期間の開始直後においては、駆動源から供給される電流は寄生容量１０９の充電に費やされるため、発光素子Ｅの印加電圧はＶｆまで到達しない。従って、この間の発光瞬時輝度は不十分なものとなってしまう。発光素子は駆動電流に比例した瞬時輝度で発光するため、寄生容量が充電された後は、安定した瞬時輝度で発光する。」
　
＜記載事項８＞
「【００３３】次に、本発明の第２の実施形態について図４〜図６を基に説明する。第２実施形態が第１実施形態と異なる点は、第１の駆動源である定電圧電源Ｖ１〜Ｖ２５６の代わりに定電流電源を設けたことにあり、他の構成は全て同一である。即ち図４に示されるように、陽極線ドライブ回路２のドライブスイッチＤ１〜Ｄ２５６は、第１の接点は開放され、第２の接点は第２定電流電源ＣＢ１〜ＣＢ２５６に接続され、第３の接点は第１定電流電源ＣＡ１〜ＣＡ２５６に接続されている。第１定電流電源ＣＡ１〜ＣＡ２５６は、第２定電流電源ＣＢ１〜ＣＢ２５６に比べてその供給電流が大とされており、第１実施形態の定電圧電源Ｖ１〜Ｖ２５６と同様に発光素子への充電手段として機能する。
【００３４】次に本発明の第２実施形態の動作について図４、図５を基に以下に説明する。尚、図５は図４の陽極線Ａ１に関する部分を抜き出して示したものである。図５は、陰極線Ｂ１を走査するとともに陽極線Ａ１〜Ａ２５６のうち陽極線Ａ１をドライブして、発光素子Ｅ１，１を発光させる状態を示したものである。この状態において、走査される陰極線Ｂ１はアース電位に接続され、他の陰極線は逆バイアス電圧Ｖｋに接続される。また、ドライブされる陽極線Ａ１は、陰極線Ｂ１が走査される走査期間において、先ず図５（ａ）に示すように第１定電流電源ＣＡ１に接続され、次に図５（ｂ）に示すようにドライブスイッチＤ１を切り換えて第２定電流電源ＣＢ１に接続される。また、他のドライブされない陽極線は、陰極線Ｂ１の走査期間の間第１の接点に接続されて開放される。陰極線Ｂ１の走査が終わると、発光制御回路３からの発光制御信号に応じて陰極線Ｂ２の走査に移行し、その後順次陰極線の走査が行われていく。
【００３５】以上の動作によれば、発光素子Ｅ１，１は、陰極線Ｂ１の走査期間の開始とともに第１定電流電源に接続されることで、寄生容量の充電が急速に行われ、その両端電圧を急速に最大瞬時輝度で発光するときの両端電圧とすることができるから、走査期間中において最大瞬時輝度で発光する時間を長く確保することができ、走査期間内において十分な発光輝度を得ることができる。また、第１定電流電源ＣＡ１から第２定電流電源ＣＢ１に接続を切り換えることによって、寄生容量が充電された後は、所望の瞬時輝度で安定した発光を行うことができる。
【００３６】図６は、陽極線ドライブ回路２によって、第１定電流電源と第２定電流電源が切り換わるタイミングと電流値との関係を示したものである。同図において、縦軸は発光素子Ｅに供給される電流値を示し、横軸は走査期間における定電流電源と定電流電源の接続が切り換わるタイミングの経過期間を示している。図中、１１４は第１定電流電源が接続されている期間であり、１１３は第２定電流電源が接続されている期間を示している。第１定電流電源から第２定電流電源への切り換えタイミングは、発光素子の寄生容量の充電が完了すると同時に行うのが良く、第１定電流電源の接続期間１１４はこれを目安として決定するのが良い。
【００３７】以上説明した本実施形態は、発光素子がマトリクス状に配列された表示パネルを線順次駆動する装置において最も効果を発揮するものである。マトリクスディスプレイにおいて、発光させるべき発光素子に対して最大瞬時輝度で発光させるための両端電圧を印加するには、その発光素子が接続される陽極線の電位をある所定値にしなければならない。しかし、陽極線には他の発光しない素子（走査されていない陰極線上の素子）にも接続されているため、陽極線を所定の電位にするには、他の発光しない素子の寄生容量にも多少の充電が必要となる。すると、発光させるべき発光素子の充電に使われる電流が不十分となってしまう。
【００３８】しかしながら、本発明においては、定電圧電源等の充電手段に接続することによって、陽極線の電位を瞬時に所定値にすることができるため、発光しない素子に対する充電も含めて急速な充電が行えるのである。このように本発明は、線順次駆動するマトリクスディスプレイに対して最も効果的であるが、これに限ることなく、既知の容量性の発光素子を用いる発光ディスプレイ装置全般に適用することができる。」
　
　上記記載事項８と、図４−５から、陰極線走査回路１により陰極線Ｂ１を走査するとともに、陽極線Ａ１をドライブして、発光素子Ｅ１、１を発光させることを読み取れる。
　
　上記記載事項８と、図４−５から、発光素子がマトリクス状に配列された表示パネルの駆動回路が読み取れる。
　
　したがって、引用刊行物３には、以下の事項が記載されている。
　
（イ）ドライブスイッチＤにより陽極線と接続されることで、発光素子の寄生容量の充電のための電流を発光素子に供給する第１定電流電源ＣＡを有すること。
　
（ウ）第１定電流電源から第２定電流電源への切り換えは、発光素子の寄生容量の充電が完了すると同時に行うこと。
　
エ　本願の優先日前に頒布された刊行物である特開昭５４−９２０８０号公報（以下、「引用刊行物４」という。）には、図面とともに以下の事項が記載されている。
　
＜記載事項９＞
「次のタイミングｔ２では、書込み絵素Ｍ（ｉ、ｊ）を含むデータ電極Ｘｉに接続されたデータスイッチＳｘｉ及び走査電極Ｙｊに接続された走査スイッチＳｙｊのみをオンにして、他のデータスイッチＳｘｑ、走査スイッチＳｙｐをオフにする。そしてスイッチＳ１及びＳ３をオンにする。但し、上記データスイッチＳｘｉは輝度変調度に応じてそのオン時間の終了時が第２タイミングの終了時に一致するようにしてオン時間が制御される。従って第２図では１つのデータスイッチＳｘｉが選択された場合を示したが、選択されるデータスイッチが多数あり、しかも発光輝度が各絵素で異なる場合は、データスイッチのオンする時刻が異なり、オンからオフに変化する時刻は全て同時に行われる訳である。
　このようにして変調輝度に応じた時間だけ書込み絵素に書込み電圧が印加され、従って書込み絵素Ｍ（ｉ、ｊ）はパルス幅制御されて発光する。」（第２頁左下欄第７行−右下欄第４行）
　
　図面の図２から、データスイッチＳｘｉがオフになる時点が、走査信号の立ち下がりに同期していることが見て取れる。
　
　したがって、引用刊行物４には、以下の事項が記載されている。
　
（エ）各絵素の発光輝度が異なる場合は、データスイッチのオンする時刻が異なり、変調輝度に応じた時間だけ書込み電圧が印加され、データスイッチがオンからオフに変化する時刻は全て同時で走査信号の立ち下がりに同期するパルス幅制御を用いる駆動方式。
　
（３）対比
　本願補正発明と引用発明１とを対比する。
　
　引用発明１の「表示パネル３０のマトリクスを構成する信号電極及び走査電極との交点部分に接続されたＥＬ素子５２」と本願補正発明の「有機ＥＬピクセル」とは、「ＥＬピクセル」の点で共通する。
　
　引用発明１の「走査電極（ライン）に順次転送される信号ＦＰＵＬのパルス」、「Ｙドライバ３４」は、それぞれ本願補正発明の「スキャン信号」、「スキャン駆動部」に相当する。
　引用発明１の「そのラインを点灯させる」は、そのラインに接続されたＥＬ素子を発光させることであるから、本願補正発明の「ピクセルを発光させる」に相当する。
　したがって、引用発明１の「走査電極（ライン）に順次転送される信号ＦＰＵＬのパルスにより、走査ラインが“High”レベルのとき、そのラインを点灯させるＹドライバ３４」は、本願補正発明の「スキャン信号によって駆動されて前記ピクセルを発光させるスキャン駆動部」に相当する。
　
　引用発明１の「定電流源８８」は、本願補正発明の「第１定電流源」に相当する。
　したがって、引用発明１の「それぞれが前記ＥＬ素子５２に制御された定電流値の電流を供給する定電流源８８」と本願補正発明の「それぞれが第１〜第Ｎのデータイネーブル信号Ｄ１〜ＤＮを受けてオン／オフが制御される第１スイッチ部の複数のスイッチ素子の互いに共通接続されたドレイン端に接続されて、オンしたスイッチ素子の前記ドレイン端からソース端方向へ電流を供給するとともに、前記電流の量をバイアス調節によって制御することにより前記ピクセルに前記制御された量の電流を供給する第１定電流源」とは、「それぞれが前記ピクセルに制御された量の電流を供給する第１定電流源」の点で共通する。
　
　引用発明１の「ＣＰＵ５４」は、本願補正発明の「制御部」に相当し、また、引用発明１の「定電流値を制御する電流指令を発生する」目的は、前記定電流源８８の電流の量を制御するためであることは明らかである。
　したがって、引用発明１の「前記定電流源８８の定電流値を制御する電流指令を発生するＣＰＵ５４」と本願補正発明の「前記第１及び第２定電流源の電流の量を制御する制御部」は、「前記第１定電流源の電流の量を制御する制御部」の点で共通する。
　
　引用発明１において、定電流は信号電極を介してＥＬ素子５２に供給されており、信号電極からＥＬ素子５２を介して走査電極に流れる電流方向を考慮すれば、「各信号電極に供給される信号が一斉にハイレベルになる時点」と本願補正発明の「前記有機ＥＬピクセルをプリチャージさせる時点」とは、「前記ＥＬピクセルに定電流を供給する時点」の点で共通する。
　したがって、引用発明１の「各信号電極に供給される信号が一斉にハイレベルになる時点を、走査信号の立ち上がりに同期させる立ち上がり同期方式で駆動する」と、本願補正発明の「前記有機ＥＬピクセルをプリチャージさせる時点を前記スキャン信号の立ち上がりに同期させ、前記スキャン信号の開始時点で前記第２定電流源をオンして前記有機ＥＬピクセルのプリチャージを開始し、前記プリチャージの終了後前記データイネーブル信号を活性化して前記有機ＥＬピクセルをオンさせる立ち上がり同期方式、又は、前記有機ＥＬピクセルをオフさせる時点を前記スキャン信号の立ち下がりに同期させ、前記有機ＥＬピクセルの予め定めたオン継続時間が前記スキャン信号の立ち下がり時点まで維持されるように、前記スキャン信号が立ち上がった後、前記有機ＥＬピクセルへのプリチャージを行い、このプリチャージの終了後、前記データイネーブル信号を活性化して前記有機ＥＬピクセルをオンさせるとともに、前記スキャン信号の立ち下がり時点で前記データイネーブル信号を非活性化させることにより、前記有機ＥＬピクセルをオフさせる立ち下がり同期方式のいずれかで駆動する」とは、「前記ＥＬピクセルに定電流を供給する時点を前記スキャン信号の立ち上がりに同期させる立ち上がり同期方式で駆動する」の点で共通する。
　
　引用発明１の対象である「定電流駆動信号を供給することでＥＬ素子を発光状態とする表示装置の駆動回路」は、本願補正発明の対象である「電流駆動型のディスプレイの駆動回路」に相当する。
　
　したがって、本願補正発明と引用発明１の両者は、以下の一致点で一致し、以下の相違点で相違する。
　
＜一致点＞
「ＥＬピクセルと、
　スキャン信号によって駆動されて前記ピクセルを発光させるスキャン駆動部と、
　それぞれが前記ピクセルに制御された量の電流を供給する第１定電流源と、
　前記第１定電流源の電流の量を制御する制御部と
　を備え、
　前記ＥＬピクセルに定電流を供給する時点を前記スキャン信号の立ち上がりに同期させる立ち上がり同期方式で駆動する
　電流駆動型のディスプレイの駆動回路。」
　
＜相違点１＞
　ディスプレイのＥＬピクセルが、本願補正発明では、有機ＥＬピクセルであるのに対して、引用発明１では、そのような限定がされていない点。
　
＜相違点２＞
　それぞれがＥＬピクセルに制御された量の電流を供給する第１定電流源が、本願補正発明では、第１〜第Ｎのデータイネーブル信号Ｄ１〜ＤＮを受けてオン／オフが制御される第１スイッチ部の複数のスイッチ素子の互いに共通接続されたドレイン端に接続されて、オンしたスイッチ素子の前記ドレイン端からソース端方向へ電流を供給するとともに、前記電流の量をバイアス調節によって制御することにより前記ピクセルに前記制御された量の電流を供給するものであるのに対して、引用発明１では、そのように限定されていない点。
　
＜相違点３＞
　本願補正発明では、プリチャージ信号によってオン／オフが制御されて前記ピクセルのプリチャージのための電流を前記ピクセルに供給する第２定電流源を備え、前記第１定電流源の電流の量を制御する制御部が、第２定電流源の電流の量も制御しているのに対して、引用発明１では、第２定電流源を備えておらず、前記制御部が第２定電流源の電流の量を制御していない点。
　
＜相違点４＞
　本願補正発明では、有機ＥＬピクセルをプリチャージさせる時点をスキャン信号の立ち上がりに同期させ、前記スキャン信号の開始時点で第２定電流源をオンして前記有機ＥＬピクセルのプリチャージを開始し、前記プリチャージの終了後データイネーブル信号を活性化して前記有機ＥＬピクセルをオンさせる立ち上がり同期方式で駆動しているのに対して、引用発明１では、そのように限定されていない点。
　
＜相違点５＞
　本願補正発明では、有機ＥＬピクセルをオフさせる時点をスキャン信号の立ち下がりに同期させ、前記有機ＥＬピクセルの予め定めたオン継続時間が前記スキャン信号の立ち下がり時点まで維持されるように、前記スキャン信号が立ち上がった後、前記有機ＥＬピクセルへのプリチャージを行い、このプリチャージの終了後、データイネーブル信号を活性化して前記有機ＥＬピクセルをオンさせるとともに、前記スキャン信号の立ち下がり時点で前記データイネーブル信号を非活性化させることにより、前記有機ＥＬピクセルをオフさせる立ち下がり同期方式で駆動しているのに対して、引用発明１では、そのようには駆動していない点。
　
（４）当審の判断
ア　相違点１
　ＥＬ素子として有機ＥＬ素子は、引用例を示すまでもなく周知事項であるから、引用発明１のＥＬピクセルを有機ＥＬピクセルと限定することは、当業者が容易に想到し得ることである。
　したがって、相違点１に係る本願補正発明の発明特定事項は、引用刊行物１に記載された発明及び周知事項に基づいて当業者が容易に想到し得るものである。
　
イ　相違点２
　上述したように、引用刊行物２には、それぞれがコード信号Ａ１〜Ａｎを受けてスイッチの役割を果たす各トランジスタＮ１〜Ｎｎが互いに共通接続された接点Ｓに接続されて、オンしたトランジスタＮ１〜Ｎｎに電流を供給するとともに、前記電流の量を信号Ｂｉａｓにより制御することにより、コード信号Ａ１〜Ａｎ、信号Ｂｉａｓに応じた電流Ｉｏｕｔが出力されるカレントミラー回路２を有するＤ−Ａ変換器２０が記載されている。（前記２の（２）の（ア））
　引用発明１と引用刊行物２に記載の発明とは、いずれも制御信号に応じた電流量を供給する電流源を有するものであるから、引用発明１における定電流源８８として、引用刊行物２に記載のＤ−Ａ変換器２０を採用することは、当業者が容易に想到し得ることであり、その際、各トランジスタＮ１〜Ｎｎが互いに共通接続された接点Ｓをドレイン端とするか、ソース端とするかは、用いるトランジスタがＮ型かＰ型か、トランジスタＮ１〜Ｎｎに供給される電流の方向に応じ、当業者が適宜に定めることに過ぎない。
　
　したがって、相違点２に係る本願補正発明の発明特定事項は、引用刊行物１、２に記載された発明に基づいて当業者が容易に想到し得るものである。
　
ウ　相違点３
　上述したように、引用刊行物３には、発光素子の寄生容量の充電のための電流を発光素子に供給する第１定電流電源を有し、第２定電流電源を用いて所望の輝度で発光させる前に発光素子の寄生容量の充電を行い、その充電が完了すると同時に前記第２定電流電源に切り換えることが記載されている。（前記２の（２）の（イ）と（ウ））
　発光を安定させるため発光素子が有する寄生容量をプリチャージすることは、当該技術分野において周知の課題に過ぎないから、前記課題を解決するために、引用刊行物３に記載の構成を引用発明１に適用することは、当業者が容易に想到し得ることである。そして、定電流電源の電流量を所望の値に制御することは、当業者が適宜になし得る設計事項である。
　
　したがって、相違点３に係る本願補正発明の発明特定事項は、引用刊行物１、３に記載された発明に基づいて当業者が容易に想到し得るものである。
　
エ　相違点４
　上述したように、引用刊行物３には、第２定電流電源を用いて所望の輝度で発光させる前に第１定電流電源を用いて発光素子の寄生容量の充電を行い、その充電が完了すると同時に前記第２定電流電源に切り換えることが記載されている。（前記２の（２）の（ウ））
　上記「ウ　相違点３」において検討したように、発光を安定させるため発光素子が有する寄生容量をプリチャージすることは、当該技術分野において周知の課題に過ぎないから、前記課題を解決するために、引用刊行物３に記載の所望の輝度で発光させる前に発光素子の寄生容量の充電を行う構成を、引用発明１の「立ち上がり同期方式」により駆動する駆動回路に適用して、「有機ＥＬピクセルをプリチャージさせる時点をスキャン信号の立ち上がりに同期させ、前記スキャン信号の開始時点で第２定電流源をオンして前記有機ＥＬピクセルのプリチャージを開始し、前記プリチャージの終了後データイネーブル信号を活性化して前記有機ＥＬピクセルをオンさせる立ち上がり同期方式で駆動」するようにすることは、当業者が容易に想到し得るものである。
　
　したがって、相違点４に係る本願補正発明の発明特定事項は、引用刊行物１、３に記載された発明及び周知技術に基づいて、当業者が容易に想到し得るものである。
　
オ　相違点５
　プリチャージの終了後にデータイネーブル信号を活性化させることについては、「エ　相違点４」で述べたとおりである。
　そして、上述したように、引用刊行物４には、データスイッチがオンからオフに変化する時刻は全て同時で走査信号の立ち下がりに同期するパルス幅制御が記載されている。（前記２の（２）の（エ））
　引用発明１と引用刊行物４に記載された発明は、いずれもパルス幅制御を用いてＥＬ素子を階調制御する技術分野に属する発明であるから、引用発明１に引用刊行物４に記載の構成を適用することは困難なことではない。
　
　したがって、相違点５に係る本願補正発明の発明特定事項は、引用刊行物１、３、４に記載された発明に基づいて、当業者が容易に想到し得るものである。
　
　そして、本願補正発明によって奏される効果は、引用刊行物１−４の記載から当業者が予測し得る程度のものに過ぎない。
　
　したがって、本願補正発明は、引用刊行物１−４に記載された発明及び周知事項に基づいて当業者が容易に発明をすることができたものであるから、特許法第２９条第２項の規定により、特許出願の際独立して特許を受けることができない。
　
（５）まとめ
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するので、特許法第１５９条第１項で読み替えて準用する特許法第５３条第１項の規定により却下されるべきものである。
　
３　本願発明
　本件補正は上記のとおり却下され、また平成１８年４月１２日付けの手続補正は、平成１８年７月７日付けの補正の却下の決定により却下された。
　
　そして、本願の平成１７年１２月１６日付けの手続補正により補正された請求項１には「前記有機ＥＬピクセルをオンさせる時点が立ち上がり同期である場合、前記スキャン信号の開始時点で…前記有機ＥＬピクセルのプリチャージを開始し、前記有機ＥＬピクセルをオンさせる時点が立ち下がり同期である場合、前記データイネーブル信号が活性化される前に…前記有機ＥＬピクセルのプリチャージを開始する」と記載されている。
　上記「２の（１）」において検討したのと同様に、この記載について検討すると、上記記載は、「立ち上がり同期方式」又は「立ち下がり同期方式」のいずれかで駆動されるという意味であると認定する。
　
　また、上記請求項１には「前記有機ＥＬピクセルをオンさせる時点が立ち下がり同期である場合」と記載されているが、本願明細書の図４、６、９及びその説明の記載からみて、「オンさせる時点が立ち下がり同期である」は「オフさせる時点が立ち下がり同期である」の誤記と認定する。
　
　よって、本願の請求項１に係る発明（以下、「本願発明」という。）は、平成１７年１２月１６日付けの手続補正により補正された明細書及び図面の記載からみて、以下のとおりのものと認める。
「【請求項１】有機ＥＬピクセルと、
　スキャン信号によって駆動されて前記ピクセルを発光させるスキャン駆動部と、
　データイネーブル信号によってオン／オフが制御されて前記ピクセルに電流を供給する第１定電流源と、
　プリチャージ信号によってオン／オフが制御されて前記ピクセルのプリチャージのための電流を前記ピクセルに供給する第２定電流源と、
　前記第１及び第２定電流源の電流の量を制御する制御部と
　を備え、
　前記有機ＥＬピクセルをオンさせる時点が
立ち上がり同期であり
する立ち上がり同期方式、又は、
オフさせる時点が立ち下がり同期であり
立ち下がり同期方式のいずれかで駆動する
　
４　引用刊行物に記載された発明
（１）引用刊行物３に記載された事項は、前記「２（２）ウ」に記載したとおりである。
　
　よって、上記記載事項６乃至８及び図面の記載からみて、引用刊行物３には、以下の発明が記載されているものと認められる。
「表示パネルにマトリクス状に配列された有機エレクトロルミネッセンス素子と、
　陰極線を走査して前記有機エレクトロルミネッセンス素子を発光させる陰極線走査回路１と、
　ドライブスイッチを第２の接点に切り換えて、前記有機エレクトロルミネッセンス素子に電流を供給する第２定電流電源ＣＢと、
　ドライブスイッチを第３の接点に切り換えて、前記有機エレクトロルミネッセンス素子の寄生容量の充電を行う電流を前記有機エレクトロルミネッセンス素子に供給する第１定電流電源ＣＡと、
　を備え、
　陰極線の走査期間の開始とともに第１定電流電源ＣＡに接続することで、前記寄生容量を充電し、前記寄生容量の充電が完了すると同時に第２定電流電源ＣＢに切り換える
　定電流駆動法で駆動される発光ディスプレイ装置の駆動回路。」（以下、「引用発明３」という。）
　
（２）原査定の拒絶の理由に引用され、本願の優先日前に頒布された刊行物である特開昭５２−５３６２３号公報（以下、「引用刊行物５」という。）には、図面とともに、以下の事項が記載されている。
　
＜記載事項１０＞
「第３図は従来行われているパルス幅変調方式による信号のタイミング図である。同図において、Vは複合映像信号、Hsは水平同期信号である。バーHsは、Hsの極性を反転させた信号である。期間Iでラインメモリに書き込まれた映像信号は、期間IIでマトリクスパネル上に表示される。
　パルス幅変調信号ｔ１〜ｔ４は第３図に示したようなタイミングで発生される。マトリクスパネル上のディスプレイ素子はパルス幅に応じて輝度を変化する。第３図に示したパルス幅変調方式は、Hsを基準として、パルス幅変調信号の前縁がHsに一致するようなタイミングをもつ方法である。」（第２頁右上欄第９−２０行）
　
＜記載事項１１＞
「第５図は本発明によるパルス幅変調信号のタイミングを示すものである。第３図に示した従来の方法は、Hsを基準として時間と共にパルス幅が増加する方法である。すなわち、パルス幅変調信号の前縁をHsに一致させる方法である。第５図に示した本発明による方法は、Hsを基準として、パルス幅変調信号の後縁をHsに一致させる方法である。第４図に示した方法を用いても第３図に示した方法と同じ輝度制御を行えることは明らかである。」（第２頁右下欄第２０行−第３頁左上欄第９行）
　
　図面の第３図から、パルス幅変調信号t１〜t４の立ち上がりが同期しているタイミングを見て取れる。
　
　図面の第５図から、パルス幅変調信号t１〜t４の立ち下がりが同期しているタイミングを見て取れる。
　
　したがって、引用刊行物５には、以下の事項が記載されている。
　
（オ）ディスプレイ素子の輝度を変化させるパルス幅変調方式において、パルス幅変調信号ｔ１〜ｔ４の立ち上がりが同期している駆動方式と、立ち下がりが同期している駆動方式があること。
　
５　対比
　本願発明と引用発明３とを対比する。
　
　引用発明３の「表示パネルにマトリクス状に配列された有機エレクトロルミネッセンス素子」、「陰極線を走査して前記有機エレクトロルミネッセンス素子を発光させる陰極線走査回路１」は、それぞれ本願発明の「有機ＥＬピクセル」、「スキャン信号によって駆動されて前記ピクセルを発光させるスキャン駆動部」に相当する。
　
　引用発明３において、ドライブスイッチを第２の接点に切り換えるためには、本願発明の「データイネーブル信号」に相当する制御信号が必要なのは明らかであるから、引用発明３の「ドライブスイッチを第２の接点に切り換えて、前記有機エレクトロルミネッセンス素子に電流を供給する第２定電流電源ＣＢ」は、本願発明の「データイネーブル信号によってオン／オフが制御されて前記ピクセルに電流を供給する第１定電流源」に相当する。
　
　引用発明３の「前記有機エレクトロルミネッセンス素子の寄生容量の充電を行う電流」は、本願発明の「前記ピクセルのプリチャージのための電流」に相当する。
　そして、引用発明３において、ドライブスイッチを第３の接点に切り換えるためには、本願発明の「プリチャージ信号」に相当する制御信号が必要なのは明らかである。
　したがって、引用発明３の「ドライブスイッチを第３の接点に切り換えて、前記有機エレクトロルミネッセンス素子の寄生容量の充電を行う電流を前記有機エレクトロルミネッセンス素子に供給する第１定電流電源ＣＡ」は、本願発明の「プリチャージ信号によってオン／オフが制御されて前記ピクセルのプリチャージのための電流を前記ピクセルに供給する第２定電流源」に相当する。
　
　引用発明３の「陰極線の走査期間の開始とともに第１定電流電源ＣＡに接続することで、前記寄生容量を充電し、」は、本願発明の「前記スキャン信号の開始時点で前記第２定電流源がオンされて前記有機ＥＬピクセルのプリチャージを開始する」に相当する。
　第１定電流電源ＣＡから第２定電流電源ＣＢに切り換えることは、第２定電流電源ＣＢに切り換える前に第１定電流電源ＣＡがオンされているということであるから、引用発明３の「第１定電流電源ＣＡに接続することで、前記寄生容量を充電し、前記寄生容量の充電が完了すると同時に第２定電流電源ＣＢに切り換える」は、本願発明の「前記データイネーブル信号が活性化される前に前記第２定電流源がオンされて前記有機ＥＬピクセルのプリチャージを開始する」に相当する。
　したがって、引用発明３の「陰極線の走査期間の開始とともに第１定電流電源ＣＡに接続することで、前記寄生容量を充電し、前記寄生容量の充電が完了すると同時に第２定電流電源ＣＢに切り換える」と本願発明の「前記有機ＥＬピクセルをオンさせる時点が立ち上がり同期であり、前記スキャン信号の開始時点で前記第２定電流源がオンされて前記有機ＥＬピクセルのプリチャージを開始する立ち上がり同期方式、又は、前記有機ＥＬピクセルをオフさせる時点が立ち下がり同期であり、前記データイネーブル信号が活性化される前に前記第２定電流源がオンされて前記有機ＥＬピクセルのプリチャージを開始する立ち下がり同期方式のいずれかで駆動する」とは、「前記スキャン信号の開始時点で前記第２定電流源がオンされて前記有機ＥＬピクセルのプリチャージを開始し、又は、前記データイネーブル信号が活性化される前に前記第２定電流源がオンされて前記有機ＥＬピクセルのプリチャージを開始する」の点で共通する。
　
　引用発明３の対象である「定電流駆動法で駆動される発光ディスプレイ装置の駆動回路」は、本願発明の対象である「電流駆動型のディスプレイの駆動回路」に相当する。
　
　したがって、本願発明と引用発明３の両者は、以下の一致点で一致し、以下の相違点で相違する。
　
＜一致点＞
「有機ＥＬピクセルと、
　スキャン信号によって駆動されて前記ピクセルを発光させるスキャン駆動部と、
　データイネーブル信号によってオン／オフが制御されて前記ピクセルに電流を供給する第１定電流源と、
　プリチャージ信号によってオン／オフが制御されて前記ピクセルのプリチャージのための電流を前記ピクセルに供給する第２定電流源と、
　を備え、
　前記スキャン信号の開始時点で前記第２定電流源がオンされて前記有機ＥＬピクセルのプリチャージを開始し、又は、前記データイネーブル信号が活性化される前に前記第２定電流源がオンされて前記有機ＥＬピクセルのプリチャージを開始する
　電流駆動型のディスプレイの駆動回路。」
　
＜相違点６＞
　本願発明では、第１及び第２定電流源の電流の量を制御する制御部を備えているのに対して、引用発明３では、そのように限定されていない点。
　
＜相違点７＞
　本願発明では、有機ＥＬピクセルをオンさせる時点が立ち上がり同期であり、スキャン信号の開始時点で第２定電流源がオンされて前記有機ＥＬピクセルのプリチャージを開始する立ち上がり同期方式、又は、前記有機ＥＬピクセルをオフさせる時点が立ち下がり同期であり、データイネーブル信号が活性化される前に前記第２定電流源がオンされて前記有機ＥＬピクセルのプリチャージを開始する立ち下がり同期方式のいずれかで、ＥＬピクセルが駆動されているのに対して、引用発明３では、そのようにＥＬピクセルが駆動されていない点。
　
６　判断
（１）相違点６
　定電流電源の電流量を所望の値に制御することは、当業者が適宜になし得る設計事項であるから、引用発明３に第１及び第２定電流源の電流の量を制御する制御部を備えることは、当業者が容易に想到し得ることである。
　
　したがって、相違点６に係る本願発明の発明特定事項は、当業者が引用刊行物３に記載された発明に基づいて容易に想到し得ることである。
　
（２）相違点７
　上述したように、引用刊行物５には、パルス幅変調信号の立ち上がりが同期している駆動と、立ち下がりが同期している駆動があることが記載されており（前記４の（オ））、また引用発明３が属する表示制御の技術分野において、パルス幅制御で中間調表示をすることは周知技術であるから、引用発明３に引用刊行物５に記載された構成を適用することは、当業者が容易に想到し得ることである。
　
　したがって、相違点７に係る本願発明の発明特定事項は、当業者が引用刊行物３、５に記載された発明に基づいて容易に想到し得ることである。
　
　そして、本願発明によって奏される効果は、引用刊行物３、５の記載から当業者が予測し得る程度のものに過ぎない。
　
　したがって、本願発明は、引用刊行物３、５に記載された発明に基づいて当業者が容易に発明をすることができたものである。
　
７　むすび
　以上のとおり、本願発明は、引用刊行物３、５に記載された発明及び周知技術に基づいて当業者が容易に発明をすることができたものであるから、特許法第２９条第２項の規定により特許を受けることができない。
　
　よって、結論のとおり審決する。